(57)【要約】      （修正有）【課題】構造が簡単で、使用上の利便性がよく、かつ頸部に当接する緊密性を向上させ、負担と不快適性を減少させ、外観の美感と安全性を向上できる頸部冷却装置を提供する。【解決手段】装置は、連結部と連結部の両端に位置し装置がＵ型に形成される当接部とを含む。当接部と連結部との間に当接部が同士側に移動するように弾力を与えるトーションスプリングが設けられ、連結部の内側面に頸部の後部に当接する頸部後部支持パッド１２が設けられ、当接部の内側面に頸部を冷却させる半導体冷却板２１が設けられ、当接部に外部に突出している連結部品２５が設けられ、連結部に連結部品を挿入させる連結ベース１３が設けられ、固定端２５２に中空部１４と連通している開口が形成され、中空部と開口により電線通路が形成され、連結部に電源１１と回路基板１８が設けられ、回路基板は電源に接続され、電線通路の電線により半導体冷却板に接続される。【選択図】図２
0003230131.tif 000002
【実用新案登録請求の範囲】
【請求項１】
連結部と連結部の両端に位置しかつ頸部冷却装置がＵ型に形成されるように設けられる当接部とを含む調節が可能な頸部冷却装置であって、前記当接部と連結部との間には当接部が同士側に移動するように弾力を与えるトーションスプリングが設けられ、連結部の内側面には使用者の頸部の後部に当接する頸部後部支持パッドが設けられ、当接部の内側面には使用者の頸部の側面に当接する金属板と金属板を冷却させる半導体冷却板が設けられ、半導体冷却板の冷却面は金属板の内側面に緊密に当接し、当接部には外部に突出している連結部品が設けられ、当接部には装着位置が形成され、連結部品が固定ピンによって装着位置内に取り付けられることにより連結部品は当接部に回転可能に取り付けられ、連結部品は固定端と延伸端を含み、延伸端には位置決めホックが形成され、連結部には連結部品を挿入させる連結ベースが設けられ、連結ベース内には中空部が形成され、中空部内には少なくとも２個の位置決め溝が形成されており、調節が可能な頸部冷却装置を使用するとき、連結部品を連結ベース内に挿入させ、位置決めホックを所定の位置決め溝に結合させることにより当接部の位置を適当に調節し、固定端には中空部と連通している開口が形成され、中空部と開口により電線を配置させる電線通路が形成され、連結部には電源と回路基板が設けられ、回路基板は電源に電気接続され、回路基板は電線通路内に配置される電線により半導体冷却板に電気接続されることを特徴とする調節が可能な頸部冷却装置。
【請求項２】
前記トーションスプリングは固定ピン上に取り付けられ、トーションスプリングの一端は固定端上に固定され、トーションスプリングの他端は当接部の内部側壁に当接することにより当接部は同士側に移動するように弾力を常に受けることを特徴とする請求項１に記載の調節が可能な頸部冷却装置。
【請求項３】
前記半導体冷却板の発熱面は放熱部に緊密に当接することを特徴とする請求項１に記載の調節が可能な頸部冷却装置。
【請求項４】
放熱装置には放熱ファンが当接し、放熱ファンの風出力方向は放熱装置に向かうことを特徴とする請求項３に記載の調節が可能な頸部冷却装置。
【請求項５】
前記連結部には充電カップルと制御スイッチが更に設けられていることを特徴とする請求項１に記載の調節が可能な頸部冷却装置。
【考案の詳細な説明】
【技術分野】
【０００１】
本考案は、医療装置の技術分野に属し、具体的に、調節が可能な頸部冷却装置に関するものである。
【背景技術】
【０００２】
頸椎症（ｃｅｒｖｉｃａｌ  ｓｐｏｎｄｙｌｏｓｉｓ）の病因はいろいろがあるが、主として下記２つがある。１つ目の病因は、年齢の増加に伴い、頸部が圧力を長く受けているので、椎間円盤（ｉｎｔｅｒｖｅｒｔｅｂｒａｌ  ｄｉｓｋ）の退化、サイズの低下または椎間円盤の突出により局部の神経と血管に影響を与えることにより症状がでることである。２つ目の病因は、頸部筋肉の急性または慢性損傷により頸部の局部のバランスが崩れ、頸椎の関節に微小の移動が生ずることによりめまい感と四肢麻痺等の症状がでることである。天気が暑いとき、外部に露出している頸部筋肉の血液の循環が加速化するので、頸部筋肉の血液の温度を下げることにより有効な冷却の効果を獲得することができる。そのため天気が暑いとき頸部の温度を冷却させる必要がある。
【０００３】
従来の頸部冷却装置の形状とサイズを調節することができないので、その汎用性はよくない。具体的に、使用者の体重は異なっており、使用者の頸部のサイズが異なることにより頸部冷却装置のサイズを調節することができないので、従来の頸部冷却装置の汎用性はよくない。また、従来の頸部冷却装置に冷却構造を設ける必要があるので、頸部冷却装置の重量が重くなり、使用者の頸部で頸部冷却装置の重量を支持する必要がある。従来の頸部冷却装置が使用者の頸部に緊密に当接していない場合、使用者の頸部に大きい負担と不快適性を与えるおそれがあり、かつ使用者の手で頸部冷却装置を支持する必要があるので、使用上の利便性がよくないという欠点を有している。また、電源と冷却構造を電線で電気接続させる必要があるが、従来の頸部冷却装置には電線を配置させる構造が形成されていないので、電線が露出するか或いはもつれるおそれがあり、頸部冷却装置の外観の美感と安全性がよくないという欠点を有している。
【考案の概要】
【考案が解決しようとする課題】
【０００４】
従来技術の問題を解決するため、本考案において調節が可能な頸部冷却装置を提供する。その調節が可能な頸部冷却装置は、構造が簡単であり、使用上の利便性がよいという利点を有しており、かつ当接部のサイズを適当に調節することにより当接部が使用者の頸部に当接する緊密性を向上させ、使用者に与える負担と不快適性を減少させ、頸部冷却装置の外観の美感と安全性を向上させることができる。
【課題を解決するための手段】
【０００５】
前記目的を達成するため、本考案は下記調節が可能な頸部冷却装置を提供する。
調節が可能な頸部冷却装置は連結部と連結部の両端に位置しかつ頸部冷却装置がＵ型に形成されるように設けられる当接部とを含み、当接部と連結部との間には当接部が同士側に移動するように弾力を与えるトーションスプリングが設けられ、連結部の内側面には使用者の頸部の後部に当接する頸部後部支持パッドが設けられ、当接部の内側面には使用者の頸部の側面に当接する金属板と金属板を冷却させる半導体冷却板が設けられ、半導体冷却板の冷却面は金属板の内側面に緊密に当接し、当接部には外部に突出している連結部品が設けられ、当接部には装着位置が形成され、連結部品が固定ピンによって装着位置内に取り付けられることにより連結部品は当接部に回転可能に取り付けられ、連結部品は固定端と延伸端を含み、延伸端には位置決めホックが形成され、連結部には連結部品を挿入させる連結ベースが設けられ、連結ベース内には中空部が形成され、中空部内には少なくとも２個の位置決め溝が形成されている。調節が可能な頸部冷却装置を使用するとき、連結部品を連結ベースに挿入させ、位置決めホックを所定の位置決め溝に結合させることにより当接部の位置を適当に調節する。固定端には中空部と連通している開口が形成され、中空部と開口により電線を配置させる電線通路が形成され、連結部には電源と回路基板が設けられ、回路基板は電源に電気接続され、回路基板は電線通路内に配置される電線により半導体冷却板に電気接続される。
【０００６】
本考案の好適な実施例において、前記トーションスプリングは固定ピン上に取り付けられ、トーションスプリングの一端は固定端上に固定され、トーションスプリングの他端は当接部の内部側壁に当接することにより当接部は同士側に移動するように弾力を常に受ける。
【０００７】
本考案の好適な実施例において、前記半導体冷却板の発熱面は放熱部に緊密に当接する。
【０００８】
本考案の好適な実施例において、放熱装置には放熱ファンが当接し、放熱ファンの風出力方向は放熱装置に向かう。
【０００９】
本考案の好適な実施例において、前記連結部には充電カップルと制御スイッチが更に設けられている。
【考案の効果】
【００１０】
本考案の調節が可能な頸部冷却装置により下記の効果を奏することができる。当接部と連結部との間には当接部が同士側に移動するように弾力を与えるトーションスプリングが設けられているので、当接部を使用者の頸部に緊密に当接させることにより当接部が使用者の頸部に当接する緊密性を向上させ、使用者に与える負担と不快適性を減少させることができる。調節が可能な頸部冷却装置を使用するとき、連結部品を連結ベースに挿入させ、位置決めホックを所定の位置決め溝に結合させることにより当接部の位置を適当に調節することができる。頸部のサイズが異なることにより頸部冷却装置のサイズを適合に調節することにができるので、頸部冷却装置の汎用性を向上させることができる。固定端には中空部と連通している開口が形成され、中空部と開口により電線を配置させる電線通路が形成される。連結部には電源と回路基板が設けられ、回路基板は電源に電気接続され、回路基板は電線通路内に配置される電線により半導体冷却板に電気接続される。それにより電線が露出するか或いはもつれることを防止し、頸部冷却装置の安全性と外観の美感を向上させることができる。
【図面の簡単な説明】
【００１１】
【図１】本考案の実施例に係る調節が可能な頸部冷却装置が組み立てられていることを示す構造図である。
【図２】本考案の実施例に係る調節が可能な頸部冷却装置の構造を示す分解図である。
【図３】本考案の実施例に係る調節が可能な頸部冷却装置の後部の構造を示す分解図である。
【考案を実施するための形態】
【００１２】
本考案の構造の特徴、技術的手段および考案の目的および効果をより詳細に説明するため、以下、図面と具体的な実施例により本考案をより詳細に説明する。
【００１３】
本実施例において、図１〜３に示すとおり、調節が可能な頸部冷却装置は連結部１０と連結部１０の両端に位置しかつ頸部冷却装置がＵ型に形成されるように設けられる当接部２０とを含む。連結部１０の内側面には使用者の頸部の後部に当接する頸部後部支持パッド１２が設けられ、当接部２０の内側面には使用者の頸部の側面に当接する金属板２２と金属板２２を冷却させる半導体冷却板（ｓｅｍｉｃｏｎｄｕｃｔｏｒ  ｃｈｉｌｌｉｎｇ  ｐｌａｔｅ）２１が設けられている。半導体冷却板２１の冷却面は金属板２２の内側面に緊密に当接し、半導体冷却板２１の発熱面は放熱部２３に緊密に当接する。放熱装置には放熱ファン２４が当接し、放熱ファン２４の風出力方向は放熱装置に向かう。当接部２０には外部に突出している連結部品２５が設けられ、当接部２０には装着位置２０１が形成されている。連結部品２５は固定ピン２５１により装着位置２０１内に取り付けられ、それにより連結部品２５は当接部２０に回転可能に取り付けられる。連結部品２５は固定端２５２と延伸端２５３を含み、延伸端２５３には位置決めホック２５４が形成されている。連結部１０には連結部品２５を挿入させる連結ベース１３が設けられ、連結ベース１３内には中空部１４が形成され、中空部１４内には６個の位置決め溝１５が形成されている。調節が可能な頸部冷却装置を使用するとき、連結部品２５を連結ベース１３に挿入させ、使用者の頸部のサイズにより位置決めホック２５４を所定の位置決め溝１５に結合させることにより当接部２０の位置を適当に調節することができる。頸部のサイズが異なることにより頸部冷却装置のサイズを適合に調節することにができるので、頸部冷却装置の汎用性（ｇｅｎｅｒａｌｉｔｙ）を向上させることができる。当接部２０と連結部１０との間には当接部２０が同士側に移動するように弾力を与えるトーションスプリング（ｔｏｒｓｉｏｎａｌ  ｓｐｒｉｎｇ）２５５が設けられている。トーションスプリング２５５は固定ピン２５１上に取り付けられ、トーションスプリング２５５の一端は固定端２５２上に固定され、トーションスプリング２５５の他端は当接部２０の内部側壁に当接する。それにより当接部２０は同士側に移動するように弾力を常に受け、当接部２０を使用者の頸部に緊密に当接させることができるので、当接部２０が使用者の頸部に当接する緊密性を向上させ、使用者に与える負担と不快適性を減少させることができる。固定端２５２には中空部１４と連通している開口２５６が形成され、中空部１４と開口２５６により電線を配置させる電線通路が形成される。連結部１０には電源１１、充電カップル１６、制御スイッチ１７および回路基板１８が設けられ、充電カップル１６、制御スイッチ１７および電源１１はいずれも、回路基板１８に電気接続される。回路基板１８は電線通路内に配置される電線により半導体冷却板２１に電気接続される。それにより電線が露出するか或いはもつれることを防止し、頸部冷却装置の安全性と外観の美感を向上させることができる。
【００１４】
以上、本考案の好適な実施例を説明してきたが、前記実施例は本考案の例示にしか過ぎないものであるため、本考案は前記実施例の構成にのみ限定されるものではなく、本考案の要旨を逸脱しない範囲において設計の変更、代替、改良等をすることができ、それらがあっても本考案に含まれることは勿論である。
【符号の説明】
【００１５】
１０  連結部、
１１  電源、
１２  頸部後部支持パッド、
１３  連結ベース、
１４  中空部、
１５  位置決め溝、
１６  充電カップル、
１７  制御スイッチ、
１８  回路基板、
２０  当接部、
２０１  装着位置、
２１  半導体冷却板、
２２  金属板、
２３  放熱部、
２４  放熱ファン、
２５  連結部品、
２５１  固定ピン、
２５２  固定端、
２５３  延伸端、
２５４  位置決めホック、
２５５  トーションスプリング、
２５６  開口。
【図１】
0003230131.tif 000003
【図２】
0003230131.tif 000004
【図３】
0003230131.tif 000005
【手続補正書】
【提出日】令和2年10月30日(2020.10.30)
【手続補正１】
【補正対象書類名】実用新案登録請求の範囲
【補正対象項目名】全文
【補正方法】変更
【補正の内容】
【実用新案登録請求の範囲】
【請求項１】
連結部と連結部の両端に位置しかつ頸部冷却装置がＵ型に形成されるように設けられる
当接部とを含む調節が可能な頸部冷却装置であって、前記当接部と連結部との間には当接
部が同士側に移動するように弾力を与えるトーションスプリングが設けられ、連結部の内
側面には使用者の頸部の後部に当接する頸部後部支持パッドが設けられ、当接部の内側面
には使用者の頸部の側面に当接する金属板と金属板を冷却させる半導体冷却板が設けられ
、半導体冷却板の冷却面は金属板の内側面に緊密に当接し、当接部には外部に突出してい
る連結部品が設けられ、当接部には装着位置が形成され、連結部品が固定ピンによって装
着位置内に取り付けられることにより連結部品は当接部に回転可能に取り付けられ、連結
部品は固定端と延伸端を含み、延伸端には位置決めホックが形成され、連結部には連結部
品を挿入させる連結ベースが設けられ、連結ベース内には中空部が形成され、中空部内に
は少なくとも２個の位置決め溝が形成されており、調節が可能な頸部冷却装置を使用する
とき、連結部品を連結ベース内に挿入させ、位置決めホックを所定の位置決め溝に結合さ
せることにより当接部の位置を適当に調節し、固定端には中空部と連通している開口が形
成され、中空部と開口により電線を配置させる電線通路が形成され、連結部には電源と回
路基板が設けられ、回路基板は電源に電気接続され、回路基板は電線通路内に配置される
電線により半導体冷却板に電気接続されることを特徴とする調節が可能な頸部冷却装置。
【請求項２】
前記トーションスプリングは固定ピン上に取り付けられ、トーションスプリングの一端
は固定端上に固定され、トーションスプリングの他端は当接部の内部側壁に当接すること
により当接部は同士側に移動するように弾力を常に受けることを特徴とする請求項１に記
載の調節が可能な頸部冷却装置。
【請求項３】
前記連結部には充電カップルと制御スイッチが更に設けられていることを特徴とする請
求項１に記載の調節が可能な頸部冷却装置。